(57)【要約】【課題】  墓参りの際に、単に墓石の清掃、お花、お線香等のお供えおし、合掌するだけでなく、お祀りしてある故人と対面するかの如く対話型のお参りを可能とする墓石であって、且つ故人のプライベートが守られ、長期間に亘り良好な状態を維持することのできる墓構造を提供する。【解決手段】  有底の収納室５を墓構造内部に形成し、且つ墓構造のいずれかの側面に収納室５用の開閉扉９を設けた墓構造を提供することによって、収納室５内部に故人の遺影等の物品を収納することを可能とし、墓参りの際には、開閉扉９を開くことによって収納されている故人の遺影等の物品を取り出し、或いは収納された状態のまま、これらの物品に向かって対話型のお参りを可能とする。【選択図】図１
2006299651.tif 000002
【特許請求の範囲】
【請求項１】
少なくとも墓石を有する墓構造であって、上記墓構造の内部に開閉可能な扉を有する有底の収納室が墓構造と一体に設けられており、且つ上記開閉可能な扉が上記墓構造のいずれかの側面に装着されていることを特徴とする墓構造。
【請求項２】
上記開閉可能な扉が墓構造の正面側に設けられていることを特徴とする請求項１に記載の墓構造。
【請求項３】
上記収納室の底部には写真保持用の一又は複数の保持溝が穿設されていることを特徴とする請求項１または２に記載の墓構造。
【発明の詳細な説明】
【技術分野】
【０００１】
本発明は、少なくとも墓石を有する墓構造内部に有底の収納室を該墓構造と一体に設けた墓構造に係り、更に詳しくは当該収納室の開口部には開閉可能な扉を装着し、該収納室の内部に故人の遺影、仏像、経文等を収納できる収納室を一体に備えた墓構造に関する。
【０００２】
今までの墓参では、墓石の清掃を行い、お花、お線香等を供えてから墓石に対して合掌をして辞すのが一般的であった。従って墓参の際、先祖の風貌、容貌も知らずにお参りをし、また直近の故人の供養であってもその顔が見えず、形ばかりのお参りになることがあった。これに対し、墓参の際に祀られている故人と対面するかの如き態様とするために、墓石の表面に故人の遺影を貼付するという方法が考えられる。しかしながら上記方法では、故人の遺影等が墓石外側に露出する構成になり、第三者の目に触れやすく故人のプライバシーが害されるという問題があった。
【０００３】
また近年のペットブームで、ペットを飼う人工が増えたが、ペットが死亡した際にペット用の墓を持つことができず、ペットの供養をすることが出来ない場合があり、問題であった。
【０００４】
上述のような事情を勘案し、墓構造に供養のための戒名棒、戒名板、霊標棒等の小品の物品を収納するために持ち運び可能なステンレス鋼板製等の供養箱を用意し、墓構造の上台の底部を刳り貫き設けた空洞部又は、下台上に載置した経机の脚部間の下部空洞部にこの供養箱を組み込む墓構造が知られている（例えば、特許文献１）。
【０００５】
上記特許文献１には、供養のための戒名棒、戒名板、霊標棒等の小品の物品を収納するために持ち運び可能なステンレス鋼板製の供養箱を用意し、墓構造の上台の底面から刳り貫いた空洞部又は、下台上に載置した経机の脚部間の下部空洞部にこの供養箱を収め、またこの供養箱の扉が開かないように上台空洞部内に納めた供養箱の前に供物台等を置くことが開示されている。
【０００６】
【特許文献１】特開２００３−１４７９９８号公報
【発明の開示】
【発明が解決しようとする課題】
【０００７】
ここで墓構造は、通常、半永久的に墓地に設置され祀られるものであるため、耐水性、耐熱性等の耐環境性に優れ、長期間、良好な状態で維持されることが望まれる。しかしながら上記特許文献１に開示されるステンレス鋼板製の供養箱の前面は、長年風雨に晒されることにより、墓石の空洞部に雨水、塵埃等が入り込む恐れがあり、また長年の内に供養箱内に雨水等が入ってしまう恐れもあり、半永久的に良好な状態で維持されない可能性があった。また上記供養箱は、墓石と別体で形成されたものであったため、該供養箱の扉が開かないように上台空洞部内に納めた供養箱の前に供物台等を置く構造が採用されているが、かかる構造では、貴重な供養の品を納めた該供養箱を容易に持ち去られる恐れがあった。
【０００８】
従って、本発明は、故人の遺影、思い出の写真、仏像、経文等の収納物を収納すると共に、雨水、塵埃から守り半永久的にこれらの品々を保存できる墓構造であって、上記収納物を容易に持ち去られる恐れがなく、墓参に際しては、上記収納物と対面し、或いは取り出して手に取り、お参りが出来る墓構造を提供することを目的とする。
【課題を解決するための手段】
【０００９】
本発明は、
（１）少なくとも墓石を有する墓構造であって、上記墓構造の内部に開閉可能な扉を有する有底の収納室が墓構造と一体に設けられており、且つ上記開閉可能な扉が上記墓構造のいずれかの側面に装着されていることを特徴とする墓構造、
（２）上記開閉可能な扉が墓構造の正面側に設けられていることを特徴とする請求項１に記載の墓構造、及び
（３）上記収納室の底部には写真保持用の一又は複数の保持溝が穿設されていることを特徴とする上記（１）又は（２）に記載の墓構造、
を要旨とするものである。
【発明の効果】
【００１０】
本発明によれば、墓構造内部に開閉可能な扉を有する有底の収納室が該墓構造と一体的に設けられるため、墓石とともに半永久的に上記収納室を良好な状態で維持することができ、また収納室だけを分離して持ち去られる心配がない。従って、故人の遺影などの収納物を安心して保管することができる。
【００１１】
特に、上記開閉可能な扉が墓構造の正面側に設けられている本発明では、該扉を開けた状態で墓石に対面することにより、収納物とも対面することができる。従って、例えば故人の遺影を収納室に収納しておけば、墓参の際に故人と対面するかのような状態で墓参をすることができる。
さらに、収納室の底部に写真保持用の一又は複数の溝が穿設されている本発明であれば、遺影の収納が容易であり、且つ収納室の扉を開けただけで、容易に遺影と対面することが可能である。
【００１２】
本発明によれば、墓構造の収納室には先祖代々からの現存する遺影や直近の故人の思い出の写真等を半永久的に収納、保存し、墓参に際しては礼拝の対象の一つとしてその遺影、写真等と対面し、或いは取り出して、故人の生存中と同様の対話型の心の籠ったお参りができ、また従来は容易に目にすることの出来なかった先祖代々の遺影を見ながら対話型のお参りすることが出来る等、今までになかった墓参のスタイルを創出できる。
【発明を実施するための最良の形態】
【００１３】
以下に、本発明における墓構造の実施の最良の形態について図面を参照して説明する。一般に、故人との対話型の墓参を考える場合、故人の遺影、記念の写真等を前にして故人の冥福を祈ると共に、参拝者の近況報告、即ち子供の成長の報告、入学、卒業の報告、家、家族に関する色々な報告、ご近所のこと、健康のこと等を話し、また愚痴をこぼしたりし、心の通った新しいスタイルの墓参りが考えられる。本発明では、墓構造内部に収納室を一体的に設け、この収納室に先祖や故人またはペットの遺影、仏像、経文を収納し、墓参に際して、これら遺影等に対面し、遺影等の収納物に語り掛け、故人との対話型の墓参を可能とするものである。
【００１４】
図１に日本の代表的な和式墓構造に収納室を設けた本発明の一実施態様を示す。和式墓構造は、基本的には墓石の下台１を設置し、下台１の上に中台２を載置し、中台２の上に上台３を載置し、上台３の上に芯、即ち竿石４を載置する構造が採用される。またこれに加えて、線香立て、花立或いは蝋燭立て等の先祖を祀り或いは墓参りの際に機能する他の構造体をさらに有していてもよい。上記竿石４には一般的には家名等を彫る構造を有する。
尚、本発明において、墓構造というときには、墓石のみからなる墓構造であってもよいし、或いは墓石に加えて上記線香立て、花立或いは蝋燭立て等の他の構造体をさらに有する墓構造であってもよい。本発明の墓構造において、上記有底の収納室が墓構造のいずれか内部に一体的に設けられることが重要である。上記収納室は、墓石内部に設けられていてもよいし、或いは墓石とともに墓構造を構成する他の構造体、即ち線香立て、花立てまたは蝋燭立て等の構造物内部に設けられていてもよい。
【００１５】
図１に示すとおり本発明の実施の形態の一つとして、上記上台３の正面側に開閉扉９を有する有底の空洞部を設け鎖線で示す通り収納室５を形成する。上記開閉扉９は、収納室５における収納室底部６及び収納室壁部７により画定する開口部８近傍において、蝶番１０により開閉可能に取り付けられ形成される。
【００１６】
上記開閉扉９には、鍵穴式の錠装置１１を取り付けてもよい。本発明に用いることのできる施錠装置は、上記施装置１１に限定されるものではなく、墓参時以外は施錠することができ、他人に容易に収納室の開閉をさせない態様が実施できるものであれば、特に限定されるものではない。本発明における収納室に上記施錠施設を設けることにより、大切な収納物を安心して収納することができて好ましい。
【００１７】
図２は、上記図１に示す本発明の墓構造の正面図である。また図３は、図２に示す墓構造のＡ−Ａ断面図である。図３に示すとおり、開閉扉９の閉止時に収納室５を密閉し、雨水、塵埃が収納室５内に入らないようにするため、防水防塵装置１３を設けることができる。防水防塵装置１３は、収納室５の開口部８と開閉扉９との隙間を塞ぎ、外部から内部に水や塵の浸入を防止することのできる機構であれば、特に限定されるものではないが、例えば、開口部８の縁に沿って設置される一定の幅を有する枠体であって、開閉扉９を閉めた際に、開閉扉９の内面端縁と当接し、開口部８と開閉扉９との間に生じる隙間を収納室５内側から塞ぐことができる構造を採用することができる。上記収納室５の開口部８及び上記開閉扉９に防水防塵装置１３を備えることにより、収納室５内を雨水、塵埃から守ることができ、また収容物の破損、汚染を防ぐことができるため好ましい。
尚、図１〜３に示す本発明では、開閉扉９として観音開きの扉を示したが、本発明における開閉可能な扉は上記態様に限定されるものではなく、例えば片開きの扉を設置してもよい。
【００１８】
さらに、図３の収納室５において、収納室底部６の任意の場所に、先祖や故人の遺影等を保持することのできる一又は複数の保持溝１４が穿設することができる。以下に、図４を用いて、保持溝１４の実施態様をより詳細に説明する。
【００１９】
図４は、本発明における収納室５の内部を説明する部分斜視図であり、観音式の開閉扉９を開いた状態を示す図である。図４に示される収納室５における収納室底部６では、開口部８に対して所定の角度を持たせた複数の保持溝１４が形成されている。ただし本発明における保持溝１４は、上記態様に限定されるものではなく、例えば、蛇腹状に折り畳み可能な写真保持具に折り畳み、収納した複数の遺影、写真を順次開けながら開口部８から収納室５に外部に引き出せるように構成しても良い。上記写真には死亡したペットの写真を含めることも出来る。
【００２０】
また本発明の墓構造における収納室５において、収納品をより効率よく収納可能とさせるために、図４に示すとおり、開閉扉９の裏面には、遺影、写真等を保持することのできる扉裏面保持部１５、１６を設けてもよい。これによれば、上記収納室低部６に設けられた保持溝１４だけではなく、扉裏面保持部１５、１６にも遺影を飾ることができ、保持することが出来る。そして開閉扉９を開けるだけで、扉裏面に飾られた写真と対面することができる点で好ましい。更に、収納室５内部の収納室壁部７には上記保持溝１４とは別に、遺影等を保持することのできる内壁面保持部１７を設け、遺影の増加に合わせて古い遺影等を順次内壁面保持部１７に移し保存保持することも出来る。また収納室５の内壁の一部にフック２０を設け、遺影、写真を纏めて保持することも出来る。これによれば、遺影などの収納品の収納数が増加した際に容易に収納室内を整理することができ好ましい。
【００２１】
上述において、主に遺影を収納する際の態様を説明したが、本発明は遺影以外の収納品を収納することを妨げる意味ではない。収納室底部６には保持溝１４だけではなく、必要に応じて仏像載置部１８及び経文載置部１９を設けて、仏像を安置し、また経文を収めてもよい。
【００２２】
本発明は、上記の実施例の如く和式墓構造だけではなく、他の様式の墓構造においても実施可能である。例えば図５に示すように洋式墓構造においても収納室５を設けた本発明を実施することができる。本発明における収納室５は、図1に示す墓構造の如く、正面側に開閉扉９を有して形成することもできるし、図５に示す墓構造の如く、側面側に開閉扉９を形成してもよいし、或いは背面側に開閉扉を形成してもよく（図示せず）、該扉の位置は、墓構造の形態にあわせて適宜選択することができる。正面側に設けられた開閉扉であれば、該扉を開けた際に、収納物を取り出すことなく、該収納物と対面することが可能であるため、墓参の際にスムーズである点で優れている。
【００２３】
上記収納室５に加えて、追加の一又は複数の有底収納室、当該収納室用扉及び当該扉施錠装置を上記墓石の中台、上台及び竿石のいずれか、或いは線香立て、花立或いは蝋燭立て等の他の構造体に設けることが出来る。このように複数の収納室を墓構造に一体的に設けることにより、一つの収納室が収納物で一杯になったときには、他の収納室を利用して更に収納物を収納することができ、収納物の増加に対応できる点で優れている。
【００２４】
上記遺影、写真としては、画像が半永久的に保存できる特殊ガラス面にプリントしたものを用いることが出来る。上記収納した遺影や写真は、密閉された収納室に保管されているので、雨水、塵埃から守られ、長期間良好な状態で維持される。更に遺影、収納写真等は手軽に入れ替えることも出来る。
墓参に際しては、通常のお墓参りの作法に則り供養をすると共に、上記開閉扉９を開け、収容室５にお祀りしてある遺影、写真に向かってお参りすることも出来る。
このように収納室５に収納した遺影、写真等は第三者の目に触れることがない。また、近親者の墓参に際しては、故人との対話型の墓参をすることが出来、故人の遺影、記念の写真等を前にして故人の冥福を祈ると共に、参拝者の近況報告、即ち子供の成長の報告、入学、卒業の報告、家、家族に関する色々な報告、ご近所のこと、健康のこと等を話し、また愚痴をこぼしたりし、心の通った墓参が出来る。
【図面の簡単な説明】
【００２５】
【図１】本発明における墓構造の実施例の一つを説明するための墓構造の斜視図である。
【図２】本発明の墓構造の一実施態様を示す正面図である。
【図３】図２のＡ−Ａ線断面図である。
【図４】本発明の収納室を説明する部分斜視図である。
【図５】本発明の墓構造の他の実施態様を示す斜視図である。
【符号の説明】
【００２６】
１  下台
２  中台
３  上台
４  竿石
５  収納室
６  収納室底部
７  収納部壁部
８  開口部
９  開閉扉
１０  蝶番
１１  錠装置
１２  ノブ
１３  防水防塵装置
１４  保持溝
１５  扉裏面保持部
１６  扉裏面保持部
１７  内壁面保持部
１８  仏像載置部
１９  経文載置部
２０  フック
【図１】
2006299651.tif 000003
【図２】
2006299651.tif 000004
【図３】
2006299651.tif 000005
【図４】
2006299651.tif 000006
【図５】
2006299651.tif 000007